(57)【特許請求の範囲】
【請求項１】
発光素子の駆動用電源と発光素子の間にスイッチドキャパシタ回路を接続し、前記スイッチドキャパシタ回路のコンデンサとアース間にのこぎり波発生回路を直列接続したことを特徴とする発光素子の駆動回路。
【請求項２】
発光素子の駆動用電源と発光素子の間にスイッチドキャパシタ回路を接続し、前記スイッチドキャパシタ回路を複数段縦続接続し、発光素子の駆動用電源に最も近い初段のスイッチドキャパシタ回路のコンデンサとアース間にのこぎり波発生回路を直列接続したことを特徴とする発光素子の駆動回路。
【発明の詳細な説明】
【０００１】
【発明の属する技術分野】
本発明は発光素子の駆動回路に係り、特に、発光素子に流し込まれる駆動電流と発光輝度とが相関を持つタイプの発光素子、例えば、ＬＥＤ（発光ダイオード）や有機ＥＬ（エレクトロルミネッセンス）などに用いて好適な発光素子の駆動回路に関する。
【０００２】
【従来の技術】
ＬＥＤや有機ＥＬなどの発光素子の場合、素子に流れ込む駆動電流が変化するとその発光輝度が変わってしまう。このため、素子に流れ込む駆動電流が一定になるように制御してやる必要がある。図１０は従来の駆動回路の第１の例を示すもので、発光素子の駆動用電源１から発光素子２に供給される駆動電流を定電流源３によって定電流化し、駆動電流が一定になるようにしたものである。なお、発光素子２は、スイッチ４が実線のように開かれているときに発光し、点線のように閉じられたときに発光を停止する。
【０００３】
図１１は従来の駆動回路の第２の例を示すもので、発光素子の駆動用電源１と発光素子２の間に高抵抗５を直列に挿入し、この高抵抗５によって発光素子２に流れる駆動電流を一定にしたものである。なお、発光素子２はスイッチ６が実線の位置にあるときに発光し、点線の位置に切り替えられたときに発光を停止する。
【０００４】
【発明が解決しようとする課題】
上述した従来の駆動回路の場合、いずれも、発光素子の駆動用電源１としては発光素子２の順方向電圧Ｖｆ  よりも高い電源電圧Ｖｃｃを必要とする。したがって、電源電圧が発光素子の順方向電圧よりも低い場合には使用することができないという問題があった。
【０００５】
また、電源電圧を発光素子の順方向電圧よりも高くすると、この順方向電圧Ｖｆ  よりも高い電圧の分だけ無駄な電力を消費し、電源効率が悪くなるという問題もあった。特に、発光素子の駆動用電源として乾電池やバッテリーなどを用いる携帯用や車載用の機器では大きな問題となる。
【０００６】
また、発光素子がＬＥＤの場合には、順方向電圧Ｖｆ  は＋１．５Ｖ〜＋２Ｖ程度と低く、しかも比較的安定しているが、有機ＥＬの場合には、順方向電圧Ｖｆ  は＋６Ｖ〜＋１２Ｖと高い上に、そのときの輝度や温度，経時変化による変動が大きい。したがって、例えば有機ＥＬをカーステレオの表示器として用いた場合などには、発光素子の駆動用電源１としては車載のバッテリーを利用せざるを得ないため、場合によっては電源電圧を昇圧しないと発光素子を駆動できない、というようなことも起こり得る。
【０００７】
本発明は、上記のような問題を解決するためになされたもので、その目的とするところは、スイッチドキャパシタ回路を利用することにより、発光素子の駆動用電源の電源電圧が発光素子の順方向電圧よりも低い場合でも発光素子を安定に駆動することのできる、電源効率に優れた駆動回路を提供することである。
【０００８】
【課題を解決するための手段】
前記目的を達成するために、本発明では次のような手段を採用した。
すなわち、請求項１記載の発明は、発光素子の駆動用電源と発光素子の間にスイッチドキャパシタ回路を接続することにより構成したものである。このような構成とした場合、電源電圧が発光素子の順方向電圧よりも低くても発光素子を駆動して発光させることができる。
【０００９】
また、請求項１記載の発明は、前記スイッチドキャパシタ回路のコンデンサとアース間にのこぎり波発生回路を直列接続することにより構成したものである。このような構成とした場合、スイッチドキャパシタ回路のコンデンサの放電により失われる電荷をのこぎり波発生回路によって補給することができるので、発光素子に流れ込む駆動電流を一定に保つことができる。
【００１０】
また、請求項２記載の発明は、発光素子の駆動電源と発光素子の間にスイッチドキャパシタ回路を接続することにより構成したものである。このような構成とした場合、電源電圧が発光素子の順方向電圧よりも低くても発光素子を駆動して発光させることができる。また、請求項２記載の発明は、前記スイッチドキャパシタ回路を複数段縦続接続することにより構成したものである。このような構成とした場合、発光素子の順方向電圧が電源電圧よりも２倍以上高い場合でも、発光素子を駆動することができる。
【００１１】
また、請求項２記載の発明は、発光素子の駆動用電源に最も近い初段のスイッチドキャパシタ回路のコンデンサとアース間にのこぎり波発生回路を直列接続することにより構成した。このような構成とした場合、スイッチドキャパシタ回路のコンデンサの放電により失われる電荷をのこぎり波発生回路によって補給することができるので、発光素子の順方向電圧が電源電圧よりも２倍以上高い場合でも、発光素子に流れ込む駆動電流を一定に保つことができる。
【００１３】
【発明の実施の形態】
以下、本発明の実施の形態を図面に基づいて説明する。
図１に、本発明に係る駆動回路の第１の例を示す。なお、図において、従来例と同一部分には同一の符号を付して示した。
【００１４】
この第１の例は、発光素子の駆動用電源１と発光素子２の間に、スイッチ７，８およびコンデンサ９から構成されたスイッチドキャパシタ回路１０を接続したものである。すなわち、発光素子の駆動用電源１の正極をスイッチ７のａ端子とスイッチ８のｂ端子にそれぞれ接続するとともに、スイッチ７のｃ端子を発光素子２の陽極に接続し、さらに、スイッチ７のｃ端子とスイッチ８のｃ端子の間に所定容量からなるコンデンサ９を接続したものである。なお、スイッチ７のｂ端子は開放とされ、スイッチ８のａ端子はアースに接地されている。
【００１５】
前記スイッチドキャパシタ回路１０は、一見して通常の昇圧回路のように見えるが、以下に詳述するところから明らかなように、負荷に対して電源電圧Ｖｃｃの二倍の電圧２Ｖｃｃを供給する通常の昇圧回路として作用するというよりも、発光用の電荷を一旦駆動用電源１からコンデンサ９に溜め込み、この溜め込んだ電荷を発光素子２に注入してやるための電荷注入回路として作用するものである。
【００１６】
次に、前記駆動回路の動作を説明する。
なお、前提条件として、Ｖｃｃ＜Ｖｆ  ＜２Ｖｃｃ、すなわち、発光素子２の順方向電圧Ｖｆ  が電源電圧Ｖｃｃよりも大きく、電源電圧Ｖｃｃの２倍よりも小さいものとする。したがって、図１のスイッチドキャパシタ回路１０を取り除いて駆動用電源１を発光素子２に直接接続したとしても、発光素子２は発光できない。
【００１７】
さて、いま前記スイッチドキャパシタ回路１０内の２つのスイッチ７，８が、それぞれ実線で示すようにａ端子側に切り替えられたものとする。このａ端子側に切り替えられた状態（以下、これを「充電状態」という）では、コンデンサ９は駆動用電源１の正極、スイッチ７のａ−ｃ端子、コンデンサ９、スイッチ８のｃ−ａ端子、アースの経路によって、電源電圧Ｖｃｃに充電される。したがって、コンデンサ９の静電容量をＣ１  とすると、コンデンサ９には、
Ｑ＝Ｃ１  ×Ｖｃｃ
の電荷が蓄積される。
【００１８】
次いで、所定時間の経過の後、前記２つのスイッチ７，８を、それぞれ点線で示すようにｂ端子側に切り替える。このｂ端子側に切り替えられた状態（以下、これを「放電状態」という）では、コンデンサ９は、駆動用電源１の正極、スイッチ８のｂ−ｃ端子、コンデンサ９、発光素子２、アースの経路によって、駆動用電源１と直列に接続される。
【００１９】
この直列接続によって、コンデンサ９のスイッチ８側のＰ１位置の電位ＶＰ１は電源電圧Ｖｃｃに向かって上昇し、これに伴ってコンデンサ９の発光素子２側のＰ２位置の電圧ＶＰ２も同じように平衡移動しながら２Ｖｃｃに向かって上昇する。ところが、Ｐ２点には発光素子２が負荷として接続されているため、Ｐ２位置の電圧ＶＰ２が発光素子２の順方向電圧Ｖｆ  に達した時点で、コンデンサ９から発光素子２に向かって電荷が流れ出し、発光素子２の発光が開始される。したがって、Ｐ２位置の電圧ＶＰ２は発光素子２の順方向電圧Ｖｆ  以上には上昇しない。そして、所定時間の経過の後、２つのスイッチ７，８は再びａ端子側（充電状態側）に切り替えられる。
この１回の放電動作で発光素子２に向かって流れ出す電荷Ｑは、
Ｑ＝Ｃ１  ×Ｖｄ                                  ────────▲１▼
ただし、Ｖｄ  ＝２Ｖｃｃ−Ｖｆ  
となる。
【００２０】
ところで、前記発光素子２は、後述（図９）するように、他のたくさんの発光素子とともにマトリックス状に配置され、各交点位置の発光素子に順次駆動電圧を印加していくことにより発光させるいわゆるマトリックス方式で駆動制御されるのが普通である。そこで、いまこのマトリックス状に配置された１つの発光素子に割り当てられる駆動時間をＴｄ  とするとき、この駆動時間Ｔｄ  内にスイッチ７，８をＮ回切り替え、前記した充放電動作をＮ回行なわせたものとすると、この時に発光素子２に流れる駆動電流の平均値Ｉは、
Ｉ＝（Ｑ×Ｎ）／Ｔｄ  ＝（Ｃ１  ×Ｖｄ  ×Ｎ）／Ｔｄ      ──────▲２▼
で与えられる。
【００２１】
▲２▼式から明らかなように、スイッチ７，８の切り替え回数Ｎを制御してやれば、発光素子２に流れる駆動電流の平均値Ｉを変えることができる。したがって、スイッチ７，８の切り替え回数Ｎを制御することにより発光素子２の発光輝度を変えることができ、前記スイッチドキャパシタ回路１０を利用した駆動回路においても従来の駆動回路と同じ発光輝度を得ることができる。
【００２２】
図２に、図１中のＰ１位置の電圧ＶＰ１と、Ｐ２位置の電圧ＶＰ２の波形図を示す。Ｐ１位置の電圧ＶＰ１は、０Ｖ（アース）と電源電圧Ｖｃｃの間を往復する。この電圧ＶＰ１の波形は、回路のスルーレートを考慮して台形状に描いてある。一方、Ｐ２位置の電圧ＶＰ２は、スイッチ７，８がａ端子側に切り替えられている充電時には電源電圧Ｖｃｃに落ち着いている。
【００２３】
そして、スイッチ７，８がｂ端子側に切り替えられて放電状態になると、Ｐ２位置の電圧ＶＰ２は、図２中に点線で示すように、２Ｖｃｃに向かって電圧ＶＰ１と平行移動する形で上昇していくが、電圧ＶＰ２が発光素子２の順方向電圧Ｖｆ  に達した時点でコンデンサ９から発光素子２に向けて電荷が流れ出し、電圧の上昇はこの時点で止まる。この電荷の放電開始により、発光素子２は発光を開始する。
【００２４】
所定の時間の後、Ｐ１位置の電圧ＶＰ１が電源電圧Ｖｃｃまで達すると、それ以後はコンデンサ９の放電が進むに従ってＰ２位置の電圧ＶＰ２は段々と低下していく。したがって、この時点で２を発光させるに充分な電荷が放電されなくなり、Ｐ１位置の電圧ＶＰ１が電源電圧Ｖｃｃに達した時点で発光素子２の発光もほぼ停止する。そして、そしてコンデンサ９の放電はされに進み、Ｐ２位置の電圧ＶＰ２はさらに電源電圧Ｖｃｃに向かって低下していく。なお、このときの放電電荷の量は小さいため、発光素子２を発光させるには到らない。
【００２５】
そして、所定時間の経過の後、スイッチ７，８が再びａ端子側に切り替えられて充電状態になると、コンデンサ９は再び駆動用電源１の電源電圧Ｖｃｃによって充電され、次の放電動作に備える。以上の充放電動作を繰り返すことにより、発光素子２は所定の輝度で発光されるものである。
【００２６】
図３は、前記図１の駆動回路のスイッチドキャパシタ回路１０をＣ−ＭＯＳを用いてＩＣ化した場合の回路例である。図では、コンデンサ９はＩＣ化されていないように見えるが、実際の回路ではこのコンデンサ９もＣ−ＭＯＳのＩＣプロセスで基板上に一体に構成することができる。したがって、本発明の駆動回路は、スイッチドドキャパシタ回路１０の全回路をＩＣ化して１チップ化することができる。このため、本発明の駆動回路は大量生産に向くとともに、回路の小型化を図ることができる。なお、図中、符号１１で示した部分は、スイッチ７をＯＮ・ＯＦＦするためのクロック位相反転回路である。
【００２７】
図４に、本発明に係る駆動回路の第２の例を示す。
この第２の例は、図１の駆動回路の変形例であって、図１の駆動回路ではスイッチ７のｃ端子を発光素子２に接続していたが、図４の駆動回路ではスイッチ７のｂ端子を発光素子２に接続したものである。このような接続とした場合、スイッチ７，８がａ端子側に切り替えらえた充電状態時に発光素子２に対して電源電圧Ｖｃｃがまったく印加されないので、充電時の電荷の漏れを無くすことができる。
【００２８】
図５に、本発明に係る駆動回路の第３の例を示す。
この第３の例は、駆動用電源１と発光素子２の間に、２つのスイッチドキャパシタ回路１０１  ，１０２  を縦続接続したものである。この駆動回路は、２Ｖｃｃ＜Ｖｆ  ＜３Ｖｃｃ、すなわち、発光素子２の順方向電圧Ｖｆ  が電源電圧Ｖｃｃの２倍よりも大きく、電源電圧Ｖｃｃの３倍よりも小さい場合に適している。
【００２９】
スイッチドキャパシタ回路１０１  内のスイッチ７，８と、スイッチドキャパシタ回路１０２  内のスイッチ７，８は同期して切り替えられるもので、ａ端子側に切り替えられている状態（充電状態）では、それぞれの回路内のコンデンサ９は電源電圧Ｖｃｃに充電されている。そして、２つの回路のスイッチ７，８がｂ端子側（放電状態）に切り替えられると、駆動用電源１に対して２つのコンデンサ９，９が直列に接続され、Ｐ３位置の電圧ＶＰ３は３Ｖｃｃに向かって上昇する。そして、Ｐ３位置の電圧ＶＰ３が発光素子２の順方向電圧Ｖｆ  に達した時点で発光が開始されるものである。
【００３０】
図５の駆動回路において、２つのコンデンサ９，９の静電容量を同じ値Ｃ１  とした場合、放電時に直列接続された時の合成静電容量Ｃ０  はＣ０  ＝Ｃ１  ／２となる。したがって、図５の駆動回路において１回の放電動作で発光素子２に向かって流れ出す電荷Ｑは、
Ｑ＝Ｃ０  ×Ｖｄ                                  ────────▲３▼
ただし、Ｖｄ  ＝３Ｖｃｃ−Ｖｆ  
となり、この時に発光素子２に流れる駆動電流の平均値Ｉは、
Ｉ＝（Ｑ×Ｎ）／Ｔｄ  ＝（Ｃ０  ×Ｖｄ  ×Ｎ）／Ｔｄ      ──────▲４▼
で与えられる。
【００３１】
▲４▼式から明らかなように、図５の駆動回路の場合も、前述した図１の回路と同様に、スイッチ７，８の切り替え回数Ｎを制御することにより、発光素子２の発光輝度を変えることができる。なお、２つのスイッチドキャパシタ回路１０１  ，１０２  内のコンデンサ９，９は異なる静電容量値としてもよいことは勿論である。
【００３２】
図６に、本発明に係る駆動回路の第４の例を示す。
この第４の例は、図４の駆動回路おいて、スイッチ８に代えて、コンデンサ９とアースとの間にのこぎり波発生回路１２を接続したものである。
【００３３】
図１や図４の駆動回路の場合、発光素子２に供給される駆動電流の平均値Ｉは前述した▲２▼式や▲４▼式で与えられるが、これはあくまでも或る時間内の平均値であって、コンデンサ９から発光素子２に流れ出す瞬時電流ｉ０  はコンデンサ９の放電が進むに従って徐々に小さくなっていく。このように発光素子２に流れ出す駆動電流が変化するということは、発光素子２の発光輝度もそれに従って変化しているということであり、図１や図４の回路の場合、発光素子２は平均輝度として設定輝度を満足していることになる。したがって、コンデンサ９の放電期間中、瞬時電流ｉ０  を一定にすることができれば、発光素子２の発光輝度も一定とすることができ、発光素子の有する絶対最大電流を越えないようにするのが容易になるとともに、Ｐ３点に発生する瞬時最大電圧を低くすることができる。
【００３４】
そこで、図６の駆動回路では、コンデンサ９とアース間にのこぎり波発生回路１２を接続したもので、スイッチ８がｂ端子側に切り替えられたとき、コンデンサ９の放電進行に合わせてのこぎり波発生回路１２から図７のようなのこぎり波電圧を出力し、こののこぎり波電圧によって放電によるコンデンサ９の電圧降下分を補償してやることにより、放電期間中、発光素子２に流れ込む駆動電流の瞬時値ｉ０  が一定となるようにしたものである。
【００３５】
すなわち、のこぎり波発生回路１２から出力されるのこぎり波電圧をＶｉ  とすると、放電状態時にコンデンサ９から発光素子２に流れ出す瞬時電流ｉ０  は、
ｉ０  ＝Ｃ１  ×（ｄＶｉ  ／ｄｔ）                  ────────▲５▼
で与えられる。のこぎり波電圧Ｖｉ  の傾きは一定であるから、▲５▼式中の（ｄＶｉ  ／ｄｔ）は一定値となり、この結果、ｉ０  は一定となる。
【００３６】
図８に、本発明に係る駆動回路の第５の例を示す。
この第５の例は、図５の駆動回路おいて、駆動用電源１に最も近い第１のスイッチドキャパシタ回路１０１  のスイッチ８に代えて、コンデンサ９とアース間に前記のこぎり波発生回路１２を接続したものである。この場合も、前記図７の駆動回路と同様に、発光素子２に流れ出す瞬時電流ｉ０  を一定とすることができる。
【００３７】
なお、以上述べた例では、スイッチドキャパシタ回路１０の接続段数を２段までとしたが、電源電圧Ｖｃｃと発光素子の順方向電圧Ｖｆ  の関係に応じて３段以上に接続してもよいことは勿論である。また、前記の例では、駆動電圧としてプラス電位を出力する場合について例示したが、マイナス電位を出力するように構成することもできる。この場合には、各駆動回路における各素子の正負の極性を逆にすればよい。
【００３８】
図９に、前述した本発明の駆動回路を用いて構成した単純マトリックス式表示システムの一例を示す。
この例は、９個の発光素子２１  〜２９  をマトリックス状に配置して駆動制御するようにしたもので、各発光素子２１  〜２９  は陰極走査線１５１  〜１５３  と陽極駆動線１６１  〜１６３  の交点位置にそれぞれ接続されている。陰極走査線１５１  〜１５３  は陰極走査部１７によって順次走査されるとともに、陽極駆動線１６１  〜１６３  は陽極駆動部１８によって同時に駆動され、各陽極駆動線１６１  〜１６３  毎に設けた本発明の駆動回路１９１  〜１９３  から駆動パルスを同時並列に送出するように構成したものである。なお、前記駆動回路１９１  〜１９３  としては、システム仕様に応じて、前述した図１，図４，図５，図６あるいは図８のいずれかの回路が用いられる。
【００３９】
走査パルス発生部２０は、クロック発生部２１のクロックを基に、陰極走査線１５１  〜１５３  を所定の時間間隔Ｔで順次選択するための走査パルスを発生する回路である。発光データ発生部２２は、発光させるべき素子のスイッチ切り替え回数Ｎを指定するための回路である。カウンタ２３は、スイッチ切り替えパルスを生成して出力する回路であり、クロック発生部２１から送られてくるクロックを発光データ発生部２２から送られてくるスイッチ切り替え回数Ｎによって分周することにより各発光素子のためのスイッチ切り替えパルスを作成し、これらのスイッチ切り替えパルスをシリアル信号としてシリアル・パラレル変換部２４に送出するものである。
【００４０】
シリアル・パラレル変換部２４は、カウンタ２３から送られてくるシリアル信号として送られてくる各発光素子のためのスイッチ切り替えパルスを各発光素子毎に分離し、その時間軸を伸長した上で、陽極駆動部１８内の対応する駆動回路１９１  〜１９３  に対して同時並列に送出する回路である。
【００４１】
次に、図９の表示システムの動作を、中央の発光素子２５  を発光させる場合を例に採って説明する。
陰極走査部１７は所定の時間間隔Ｔ毎に各陰極走査線１５１  〜１５３  を順次選択していく。この選択の際、選択した陰極走査線に対しては０Ｖ（アース）を接続するとともに、選択されていない他の陰極走査線に対しては駆動回路１９１  〜１９３  の電源電圧Ｖｃｃに等しい電圧Ｖｃｃを接続する。したがって、いま陰極走査線１５２  が選択されると、図７中に示すように、陰極走査線１５１  に０Ｖ（アース）が接続され、他の陰極走査線１５１  ，１５３  にはＶｃｃが接続された状態となる。
【００４２】
この状態において、カウンタ２３からは、図９中に示すように、Ｔｄ  ＝１／３・Ｔの周期で各発光素子のためのスイッチ切り替えパルス▲１▼▲２▼▲３▼がシリアル信号として出力される。この例の場合、選択された陰極走査線１５２  上の３つの発光素子２４  ，２５  ，２６  のうち、発光素子２５  のみを発光するから、この発光素子２５  に対応する第２のタイミング▲２▼位置でのみ、スイッチ切り替えパルスが出力される。
【００４３】
すなわち、カウンタ２３は、発光データ発生回路２２から送れてくるスイッチ切り替え回数Ｎの指示データに基づいてクロック発生部２１のクロックを分周し、▲２▼位置の駆動時間Ｔｄ  内においてＮ個のスイッチ切り替えパルスを発生し、これをシリアル・パラレル変換部２４に送る。
【００４４】
シリアル・パラレル変換部２４は、カウンタ２３からシリアル信号として送られてくる▲１▼▲２▼▲３▼の信号を分離し、それぞれの信号の時間軸を３倍して３・Ｔｄ  ＝Ｔに時間伸長した上で、この時間伸長した▲１▼▲２▼▲３▼の各信号を対応する駆動回路１９１  〜１９３  に同時並列に送出する。
【００４５】
この例の場合、２番目の駆動回路１９２  に対してのみ時間伸長された▲２▼のスイッチ切り替えパルスが入力される。したがって、このスイッチ切り替えパルス▲２▼を受けた駆動回路１９２  は、前述したように駆動回路１９２  内のスイッチドキャパシタ回路１０（もしくは１０１  ，１０２  ）のスイッチ７，８を該スイッチ切り替えパルス▲２▼にしたがって切り替える。
【００４６】
このスイッチ７，８の切り替え動作によって、駆動回路１９２  からはその切換回数Ｎに対応した駆動電流が陽極駆動線１６２  に向けて送出される。この駆動電流は、陽極駆動線１６２  、発光素子２５  、陰極走査線１５２  、０Ｖ（アース）の経路で発光素子２５  に流れ、発光素子２５  は当該駆動電流の値に応じた輝度で発光する。
【００４７】
以上の動作を周期Ｔで繰り返すことにより、発光素子２５  は発光を繰り返す。したがって、この周期Ｔが３０ｍｓ以下になるように設定しておけば、残像現象により、人間の目には発光素子２５  が連続発光しているものとして視認される。
【００４８】
以上、本発明の実施の形態について種々説明したが、本発明はこれらに限定されるものではなく、その発明の主旨に沿った各種の変形が可能である。
【００４９】
【発明の効果】
以上説明したように、請求項１記載の発明によるときは、発光素子の駆動用電源と発光素子の間にスイッチドキャパシタ回路を接続したので、電源電圧が発光素子の順方向電圧よりも低くても発光素子を駆動して発光させることができる。このため、電源効率に優れ、例えば、電圧変動の激しい車載のバッテリーなどに対しても安定に使用することができる。
【００５０】
また、請求項１記載の発明によるときは、前記スイッチドキャパシタ回路のコンデンサとアース間にのこぎり波発生回路を直列接続したので、発光素子に流れ込む駆動電流を一定に保つことができ、発光素子の有する絶対最大電流を越えないようにするのが容易になるとともに、出力点の瞬時最大電圧を低くでき、駆動ＩＣの耐圧を越えないようにすることができる。
【００５１】
また、請求項２記載の発明によるときは、発光素子の駆動用電源と発光素子の間にスイッチドキャパシタ回路を接続したので、電源電圧が発光素子の順方向電圧よりも低くても発光素子を駆動して発光させることができる。このため、電源効率に優れ、例えば、電圧変動の激しい車載のバッテリーなどに対しても安定に使用することができる。また、請求項２記載の発明によるときは、前記スイッチドキャパシタ回路を複数段縦続接続したので、発光素子の順方向電圧が電源電圧よりも２倍以上高い場合でも、発光素子を駆動することができる。このため、適用範囲を大幅に拡げることができる。
【００５２】
また、請求項２記載の発明によるときは、発光素子の駆動用電源に最も近い初段のスイッチドキャパシタ回路のコンデンサとアース間にのこぎり波発生回路を直列接続したので、発光素子の順方向電圧が電源電圧よりも２倍以上高い場合でも、発光素子に流れ込む駆動電流を一定に保つことができ、発光素子の有する絶対最大電流を越えないようにするのが容易になるとともに、出力点の瞬時最大電圧を低くでき、駆動ＩＣの耐圧を越えないようにすることができる。
【図面の簡単な説明】
【図１】本発明に係る駆動回路の第１の例を示す回路図である。
【図２】第１の例の動作波形図である。
【図３】第１の例をＩＣ化した場合の回路図である。
【図４】本発明に係る駆動回路の第２の例を示す回路図である。
【図５】本発明に係る駆動回路の第３の例を示す回路図である。
【図６】本発明に係る駆動回路の第４の例を示す回路図である。
【図７】第４の例の駆動回路中ののこぎり波発生回路の出力するのこぎり波電圧の波形図である。
【図８】本発明に係る駆動回路の第５の例を示す回路図である。
【図９】本発明の駆動回路を用いて構成した単純マトリックス式表示システムの一例を示すブロック図である。
【図１０】第１の従来例を示す回路図である。
【図１１】第２の従来例を示す回路図である。
【符号の説明】
１      発光素子の駆動用電源
２      発光素子
７，８  スイッチ
９      コンデンサ
１０，１０１  ，１０２    スイッチドキャパシタ回路
１２      のこぎり波発生回路
【図１】
0003619299.tif 000002
【図２】
0003619299.tif 000003
【図３】
0003619299.tif 000004
【図４】
0003619299.tif 000005
【図５】
0003619299.tif 000006
【図６】
0003619299.tif 000007
【図７】
0003619299.tif 000008
【図８】
0003619299.tif 000009
【図９】
0003619299.tif 000010
【図１０】
0003619299.tif 000011
【図１１】
0003619299.tif 000012